(57)【特許請求の範囲】
【請求項１】
散水配管、ポンプを備え、前記ポンプで水源から揚水した水を前記散水配管に送り、降雪面に散水して融雪する融雪装置の運転制御装置であって、所定の水平面領域を通過する雪片をカウントする光学式降雪センサと、前記光学式降雪センサでカウントした雪片カウント数に基づいて、前記ポンプの運転制御を行う運転制御部とを備えた融雪装置の運転制御装置において、
前記運転制御部は、前記ポンプを連続運転とする大雪か間欠運転とする小雪かの判断のしきい値であるＳＰ値を下式により求め、該ＳＰ値が所定値以上の場合大雪と判断し、該所定値以下の場合小雪と判断することを特徴とする融雪装置の運転制御装置。
ＳＰ＝Ａ×（（ＴP／ＴF）B）
ここで、ＴFは前記光学式降雪センサでカウントした雪片カウント数から大雪・小雪を判定する時刻より前の所定時間を、ＴPは前記時間ＴF内のポンプ運転時間をそれぞれ示し、Ａは任意に設定することができる係数であり、Ｂは任意に選ぶことができる係数であり、且つＡ＞Ｂの関係にある。
【請求項２】
請求項１に記載の融雪装置の運転制御装置において、
前記ＳＰ値を求める式の係数Ａは、Ａ＝１〜５００内で設定した値であり、係数Ｂは、Ｂ＝０．１〜０．５内で設定した値であることを特徴とする融雪装置の運転制御装置。
【請求項３】
請求項１に記載の融雪装置の運転制御装置において、
前記運転制御部は、前記間欠運転の場合の１回の基本起動停止時間をＴBとし、該ＴBの内訳は基本ポンプ運転時間をＴPB、基本ポンプ停止時間をＴPSとし（ＴPB＋ＴPS＝ＴB）、更に外気温度により前記基本ポンプ運転時間ＴPBに対する前記基本ポンプ停止時間ＴPSの割合を、外気温度が低いときは小さく、外気温度が高いときは大きくすることを特徴とする融雪装置の運転制御装置。
【請求項４】
請求項３に記載の融雪装置の運転制御装置において、
前記間欠運転の場合の１回の基本起動停止時間ＴBはＴB＝１５分間であり、前記基本ポンプ運転時間はＴPB＝８分間であり、前記基本ポンプ停止時間はＴPS＝７分間であることを特徴とする融雪装置の運転制御装置。
【請求項５】
請求項３又は４に記載の融雪装置の運転制御装置において、
前記運転制御部の外気温度による前記間欠運転時間の変更は、外気温度が０℃未満では前記基本ポンプ停止時間ＴPSに係数０．５を乗じた０．５ＴPSをポンプ停止時間とし、ＴB−０．５ＴPSをポンプ運転時間とし、外気温度が０℃〜１．５℃では前記基本ポンプ停止時間ＴPSに係数０．８を乗じた０．８ＴPSをポンプ停止時間とし、ＴB−０．８ＴPSをポンプ運転時間とし、更に外気温度１．６℃以上では前記基本ポンプ停止時間ＴPSに係数１を乗じたＴPSをポンプ停止時間とし、ＴB−ＴPSをポンプ運転時間とすることを特徴とする融雪装置の運転制御装置。
【発明の詳細な説明】
【技術分野】
【０００１】
本発明は、深井戸等の水源から揚水した水を散水配管に送り、該散水配管から道路や駐車場等の降雪面に散水し、降り積もる雪を融解する融雪装置の運転制御装置に関するものである。
【背景技術】
【０００２】
地下水は一年を通して恒温で１０℃前後である。そのため、古くからポンプで地下水を汲み上げ降り積もった雪を溶かす融雪装置が知られている。近年、節水及び節電を目的として光学式降雪センサとコンピュータの組み合わせにより、複雑な制御を用いた間欠運転タイプの融雪装置の運転制御装置が開発されている。特に公共設備の融雪においては、高度できめ細かな制御技術が用いられている。
【０００３】
その一例として、特許文献１に開示された融雪装置の運転制御装置がある。この運転制御装置では、時間帯における交通量を判定条件に組み込んだり、運転ポンプの容量から起動頻度の制限をかけている。
【０００４】
また、これらの融雪装置の運転制御装置に用いられる降雪センサは、高性能で広い水平面に降雪する雪片を捉えることで、降雪強度を精度良く判定することができるようになっている。公共設備に使用される融雪装置の対象は、幹線道路など広い融雪エリアが主な対象となるので、降雪強度が精度良く判定され、それに基づいて融雪装置が運転制御される必要がある。その反面、融雪の対象エリアが比較的狭い、例えば郊外レストラン、量販店の駐車場や事務所ビル、商業ビルの駐車場などもある。
【０００５】
これらの比較的狭いエリアの融雪に用いる融雪装置は、主に民間の顧客がエンドユーザとなる。これらの顧客が要求する融雪装置は、容易に購入しやすい経済的な価格で、且つ確実な融雪機能を備えた融雪装置である。
【先行技術文献】
【特許文献】
【０００６】
【特許文献１】特開２００９−９７１５２号公報
【発明の概要】
【発明が解決しようとする課題】
【０００７】
上記のように、公共設備向け融雪装置は、高性能な降雪センサを用いて精度の高い降雪強度が測定でき、また降雪強度以外に外気温度や時間帯による交通量などの条件を加味して、きめ細かな運転条件で制御している。更に、小型ポンプから大型ポンプのモータ容量により起動頻度の制限を変えており、高度な装置となっている。特に、この高性能な降雪センサは、赤外線反射式で広い降雪エリアの雪片を直接カウントし、その時々の降雪強度を精度良く判定することができるものとなっており高価な装置となる。
【０００８】
それに対し、民間設備向け融雪装置は比較的狭いエリアを融雪するため小型で、装置の設置数も多く価格を高く設定することができなかった。また、民間設備向け融雪装置も環境保護の観点より節水と節電の機能を持った装置が今後必要となってくる。
【０００９】
本願発明は上述の点に鑑みてなされたもので、高価で高性能の降雪センサを用いることなく、検出エリアの狭い比較的価格の安い汎用型降雪センサを使って精度の高い判定ができ、節水、節電を行いながら、確実に融雪のできる融雪装置の運転制御装置を提供することを目的とする。
【課題を解決するための手段】
【００１０】
上記の課題を解決するために、本願発明は、散水配管、ポンプを備え、前記ポンプで水源から揚水した水を前記散水配管に送り、降雪面に散水して融雪する融雪装置の運転制御装置であって、所定の水平面領域を通過する雪片をカウントする光学式降雪センサと、前記光学式降雪センサでカウントした雪片カウント数に基づいて、前記ポンプの運転制御を行う運転制御部とを備えた融雪装置の運転制御装置において、前記運転制御部は、前記ポンプを連続運転とする大雪か間欠運転とする小雪かの判断のしきい値であるＳＰ値を下式により求め、該ＳＰ値が所定値以上の場合大雪と判断し、該所定値以下の場合小雪と判断することを特徴とする。
ＳＰ＝Ａ×（（ＴP／ＴF）B）
ここで、ＴFは前記光学式降雪センサでカウントした雪片カウント数から大雪・小雪を判定する時刻より前の所定時間を、ＴPは前記時間ＴF内のポンプ運転時間をそれぞれ示し、Ａは任意に設定することができる係数であり、Ｂは任意に選ぶことができる係数であり、且つＡ＞Ｂの関係にある。
【００１２】
また、本願発明は、上記融雪装置の運転制御装置において、前記ＳＰ値を求める式の係数Ａは、Ａ＝１〜５００内で設定した値であり、係数Ｂは、Ｂ＝０．１〜０．５内で設定した値であることを特徴とする。
【００１３】
また、本願発明は、上記融雪装置の運転制御装置において、前記運転制御部は、前記間欠運転の場合の１回の基本起動停止時間をＴBとし、該ＴBの内訳は基本ポンプ運転時間をＴPB、基本ポンプ停止時間をＴPSとし（ＴPB＋ＴPS＝ＴB）、更に外気温度により前記基本ポンプ運転時間ＴPBに対する前記基本ポンプ停止時間ＴPSの割合を、外気温度が低いときは小さく、外気温度が高いときは大きくすることを特徴とする。
【００１４】
また、本願発明は、上記融雪装置の運転制御装置において、前記間欠運転の場合の１回の基本起動停止時間ＴBはＴB＝１５分間であり、前記基本ポンプ運転時間はＴPB＝８分間であり、前記基本ポンプ停止時間はＴPS＝７分間であることを特徴とする。
【００１５】
また、本願発明は、上記融雪装置の運転制御装置において、前記運転制御部の外気温度による前記間欠運転時間の変更は、外気温度が０℃未満では前記基本ポンプ停止時間ＴPSに係数０．５を乗じた０．５ＴPSをポンプ停止時間とし、ＴB−０．５ＴPSをポンプ運転時間とし、外気温度が０℃〜１．５℃では前記基本ポンプ停止時間ＴPSに係数０．８を乗じた０．８ＴPSをポンプ停止時間とし、ＴB−０．８ＴPSをポンプ運転時間とし、更に外気温度１．６℃以上では前記基本ポンプ停止時間ＴPSに係数１を乗じたＴPSをポンプ停止時間とし、ＴB−ＴPSをポンプ運転時間とすることを特徴とする。
【００１６】
融雪装置において、深井戸ポンプは単位時間（６０分）当たりの起動頻度の制限がある。例えば、７．５ｋｗ以下＝１２回／ｈ、１１ｋｗ〜２２ｋｗ＝６回／ｈ、２６ｋｗ＝４回／ｈというようにである。また、使用するポンプ容量が特定されないことと、これまでの経験より、ここでは、大雪・小雪を判断する前の所定時間を６０分とし、ポンプ起動頻度４回から、インターバル（基本起動停止時間ＴB）を１５分としている。よって、インターバル（基本起動停止時間ＴB）は１５分に限定されるものではない。
【００１７】
また、上記外気温度の決め方は、通常本融雪システムが主に使用される地域は新潟、北陸地区で、シーズン中の外気温度は０℃〜１．５℃が最も多い降雪条件となる。これまでの経験より、これらの条件時、節水、節電率を３０％前後にすることが好ましく、０℃未満では融けにくいので、運転時間を長くし、１．６℃以上では融け易いみぞれ質なので運転時間を短くしている。よって、外気温度によるポンプ運転時間も上記例に限定されるものではない。
【発明の効果】
【００１８】
本発明によれば、運転制御部は、ポンプの連続運転か間欠運転かを判断するのにポンプの直前の運転時間の長短により、連続運転か間欠運転かの判断となるしきい値（ＳＰ値）を変えることができるので、降雪センサに高性能の高級降雪センサを用いることなく、安価な汎用型降雪センサを用いても降雪面に降る雪を確実に融雪できる、安価で経済的な融雪装置を提供できる。また、融雪時の散水ポンプを間欠運転させ井戸水の使用水量の制限を行なったり、ポンプの消費電力量を削減でき、地球環境に優しい融雪装置を提供できる。
【図面の簡単な説明】
【００１９】
【図１】本発明に係る融雪装置の概念を示すブロック図である。
【図２】高級降雪センサの構成例を示す図である。
【図３】本発明に係る融雪装置に用いる汎用型降雪センサの構成例を示す図である。
【図４】高級降雪センサと汎用型降雪センサの降雪パルス数の比較例を示す図である。
【図５】本発明に係る融雪装置の全体概略構成を示すブロック図である。
【図６】本発明に係る融雪装置の運転制御装置のポンプの運転条件（その１）を示す図である。
【図７】本発明に係る融雪装置の運転制御装置のポンプの運転条件（その２）を示す図である。
【図８】本発明に係る融雪装置の運転制御装置のポンプの運転条件（その３）を示す図である。
【図９】本発明に係る融雪装置の運転制御装置のポンプ運転時のインターバルを説明するための図である。
【図１０】本発明に係る融雪装置の運転制御装置のポンプ停止時のインターバルを説明するための図である。
【発明を実施するための形態】
【００２０】
以下、本発明の実施の形態について、詳細に説明する。図１は本願発明に係る融雪装置の概念を示すブロック図である。降雪センサには後に詳述するように光学式センサを用い、雪片検知領域である所定面積の水平面を通過する雪片をカウントし、該雪片のカウント数により降雪強度を判定する。降雪強度を判定できる精度の高い高級降雪センサでは、雪片検知領域３（図２参照）の面積が大きく、該面積の大きい雪片検知領域３を通過する雪片を捉えてカウントするようになっている。これに対して、比較的安価な汎用型降雪センサの雪片検知領域７（図３参照）の面積は小さく（狭く）なっており、降雪時に単位時間当たりに通過する雪片数が非常に少なく、雪片のカウント数も少ない。当然ながら、短時間に降雪強度を判定する場合、面積の大きい雪片検知領域を通過する雪片を捉えた方がより正確な降雪強度を判定できる。
【００２１】
単位時間（インターバル時間）の雪片検知領域を通過する雪片のカウント数が所定の数値以下であれば、ポンプは始動せず、又は運転中のポンプを停止する。該雪片のカウント数が所定の数値以上となればポンプは始動し、過去の降雪強度（大雪・小雪）、外気温度因子（運転時間等）により、ポンプを連続運転とするか、又は間欠運転とするかを判断する。更に、外気温度によって間欠運転の運転時間又は停止時間を決定して、ポンプを始動する。ここでは、比較的狭い領域の降雪の融雪を目的とし、安価ではあるが節水、節電を行いながら確実に融雪を行うことができる融雪装置を提供する。
【００２２】
図２及び図３は降雪センサの構成例を示す図で、図２は上記高級降雪センサの構成例を、図３は上記汎用型降雪センサの構成例をそれぞれ示す。ここでは検出する雪片の大きさは、径２ｍｍ以上の雪片を対象としている。
【００２３】
高級降雪センサ１は、光学センサ２と雪片検知領域３で構成されている。雪片検知領域３は降雪時に雪片が通過する水平面領域である。雪片検知領域３は、図２（ａ）に側面、図２（ｂ）に平面を示すように、縦寸法Ｌ１＝６０ｃｍ、横寸法Ｌ２＝２０ｃｍ、厚さ寸法Ｌ３＝１ｃｍの面積約１２００ｃｍ2の水平面領域であり、該水平面領域を通過する径２ｍｍ以上の雪片を光学センサ２で検知し、その数をカウント（計測）している。なお、光学センサ２と雪片検知領域３の間隔Ｌ４は、不感帯Ｌ４＝２０ｃｍである。
【００２４】
汎用型降雪センサ５は、光学センサ６と雪片検知領域７で構成されている。雪片検知領域７は降雪時の雪片が通過する水平面領域である。雪片検知領域７は、図３（ａ）に側面、図３（ｂ）に平面を示すように、縦寸法Ｌ１＝１０ｃｍ、横寸法Ｌ２＝１ｃｍ、厚さ寸法Ｌ３＝１ｃｍの面積約１０ｃｍ2の水平面領域であり、該水平面領域を通過する径２ｍｍ以上の雪片を光学センサ６で検知し、その数をカウントしている。なお、光学センサ６と雪片検知領域７の間隔Ｌ４は、不感帯Ｌ４＝１．５ｃｍである。
【００２５】
図４は図２に示す構成の高級降雪センサ１と図３に示す構成の汎用型降雪センサ５を用いた、同一時間、同一場所での降雪パルス数（降雪雪片のカウント数）の比較例を示す図で、図４（ａ）は高級降雪センサ１の降雪パルス数を、図４（ｂ）は汎用型降雪センサ５の降雪パルス数を示す。図４（ａ）、（ｂ）に示す降雪パルス数から明らかなように、面積の大きい雪片検知領域３を備えた高級降雪センサ１の降雪パルス数が面積の小さい雪片検知領域７を備えた汎用型降雪センサ５の降雪パルス数より圧倒的に大きい。しかしながら、降雪パルス数の絶対量は高級降雪センサ１の方が多いが、雪の降り始めや降り終わりと、降雪中の降雪の検出傾向は高級降雪センサ１と汎用型降雪センサ５は略似かよっており、制御方法を工夫することで高級降雪センサ１を使わなくても汎用型降雪センサ５で確実に融雪ができる融雪装置を構築できることが分かった。
【００２６】
そこでここでは、図３に示す構成の比較的安価な汎用型降雪センサ５を用い、比較的精度よく、且つ確実に融雪を行える融雪装置の運転制御装置を提供する。図５は本発明に係る融雪装置の全体概略構成を示すブロック図である。本融雪装置は、汎用型降雪センサ５と、ポンプ制御盤１００と、散水部２００と、水源部３００とを備えている。ポンプ制御盤１００はポンプ運転制御回路部１０１とコントロール部１０２とからなる。
【００２７】
ポンプ運転制御回路部１０１はＡＣ電源（商用電源）から漏電ブレーカ１０を通してＡＣ電源が供給されるようになっており、該ポンプ運転制御回路部１０１の電磁開閉器１１を介して、深井戸水中ポンプ５１のモータＭに駆動電流が供給できるようになっている。該モータＭに過電流が流れないように、３Ｅリレーを備えた過電流保護器１４を備えている。
【００２８】
ポンプ制御盤１００は、降雪判断部２１、モニター部２２、警報部２３、運転選択部２５、ポンプ部２６、制御選択部２７を備えている。散水部２００は、図示するように、例えば駐車場等の降雪面４０の下に埋設した散水配管４１を備え、該散水配管４１に多数の散水ノズル４２が設けられ、該散水ノズル４２の水を噴出する開口は降雪面４０に露出して配置されている。
【００２９】
水源部３００は深井戸５０内にポンプＰとモータＭを備えた深井戸水中ポンプ５１が設置されている。該深井戸水中ポンプ５１の吐出口には吐出管５２が接続され、該吐出管５２は逆止弁５３及び開閉弁５４を介して上記散水配管４１に接続され、深井戸水中ポンプ５１から散水配管４１に水を供給することにより、多数の散水ノズル４２から降雪面４０に水Ｗを噴出するようになっている。深井戸水中ポンプ５１のモータＭには上記のようにＡＣ電源から、ポンプ運転制御回路部１０１に設けられた漏電ブレーカ（ＥＬＢ）１０、電磁開閉器１１を通して駆動電力が供給されるようになっている。また、深井戸５０内には、渇水水位を検出する渇水レベルセンサ５５、自動復帰レベルセンサ５６が配置されている。なお、Ｌ１は深井戸５０の運転水位を示す。
【００３０】
図５に示す融雪装置において、汎用型降雪センサ５の光学センサ６（図３参照）で検出した雪片カウント信号（計数信号）はコントロール部１０２の降雪判断部２１に入力される。汎用型降雪センサ５には降雪温度を検出する降雪温度センサも備えており、降雪温度の検出信号も降雪判断部２１に入力される。降雪判断部２１では、汎用型降雪センサ５からの上記信号に基き、降雪検知、降雪温度、降雪強度の検出を行い、その検出信号を運転選択部２５に出力する。
【００３１】
表示部２９には、深井戸５０の水位が低下して渇水状態となった場合にそれを表示する井戸渇水表示部２９ａ、運転・故障の表示を行なう運転・故障表示部２９ｂ、電源表示部２９ｃが設けられている。モニター部２２には、ポンプの運転電流、消費電力・電力量、降雪温度、降雪片数、運転時間、揚水量の表示部が設けられている。警報部２３には深井戸５０の渇水レベルセンサ５５が渇水を検出した場合に渇水を警報する井戸渇水警報部、ポンプ（深井戸水中ポンプ５１）が故障した場合にポンプ故障を警報するポンプ故障警報部、ポンプの低負荷運転を警報する低負荷警報部、センサの異常を警報するセンサ異常警報部が設けられている。運転選択部２５は降雪判断部２１からの信号により間欠運転モード、連続運転モードが選択される。ポンプ部２６には運転選択部２５からの信号を受けてポンプの運転を行なう運転部、警報部２３からの信号を受けてポンプを停止する停止部が設けられている。制御選択部２７は選択手段２８の選択により自動運転又は手動運転を選択できるようになっている。
【００３２】
上記融雪装置において、降雪時の降雪面４０の融雪環境では、降雪がしばらくなかった場合などでは降雪面４０は乾いており、そのような中で雪が降り始めると、濡れた降雪面に比較して雪は融けずに積もり易くなる。一旦、着雪した雪を後から水で溶かすよりは、予め降りだした雪を着雪し難くしたほうが融雪に効果がある。また、深井戸水中ポンプ５１により降雪面に地下水を散水し満遍なく濡れた状態を作り出すには、ある一定時間以上の連続散水が必要である。
【００３３】
そこでここでは、降りだした雪が降雪面に着雪する前に溶かすべく工夫を制御方法の中に取り入れている。まず、降雪判断部２１では深井戸水中ポンプ５１の始動を決めるのに設定された降雪判断値により、深井戸水中ポンプ５１を運転するか否かを判断する。ここで、ポンプ運転と判断されたならば、次に降雪片のカウント数により大雪・小雪を判定する。運転選択部２５では降雪判断部２１が大雪と判定すれば、連続運転を選択し、小雪と判定すれば間欠運転を選択する。
【００３４】
雪が止んで深井戸水中ポンプ５１の運転をしていない状態から、雪が降り出してその雪片のカウント数によって降雪判断部２１で降雪と判断し、深井戸水中ポンプ５１の運転が始まるが、初めの所定時間（例えば１５分間）は連続運転とし、乾いた路面を濡れた状態にする。このとき、この所定時間の雪片のカウント数を積算し大雪・小雪を判定する。大雪・小雪から深井戸水中ポンプ５１の運転条件を判定する時に、降雪面４０がよく濡れた状態になっているか否かを判定条件に加えるように、過去の深井戸水中ポンプ５１（以下、必要な場合を除いて単に「ポンプ」という）の運転条件を判定値に加えることにする。つまり、予め設定されたステップ判断値にポンプの過去の運転時間を補正条件として加えて、運転初期は大雪と判定し連続運転となり易くなるような式を制御系に組み込む。
【００３５】
大雪・小雪を判別する式、即ち補正後のステップ判定値（しきい値）：ＳＰは式（１）で示される。
ＳＰ＝Ａ×（ＴP／ＴF）B・・・・・・・・・（１）
ここで、ＴFは大雪・小雪を判定するステップに入る前の所定時間（ここではＴF＝６０分間）であり、ＴPは所定時間ＴF内のポンプ運転時間数（分単位）である。
【００３６】
上記式（１）において、Ａは任意に設定することが可能な数値であり、一般的にはＡ＝１〜５００数値が採用される。判別（カウント）する雪片の数が少ない降雪時でもポンプを連続運転したいときは、Ａに小さい数値を設定（代入）する。Ｂは任意に選ぶことができるが、通常は０．１〜０．５である。大雪・小雪を判定する前の所定時間ＴF（ここではＴF＝６０分）の間のポンプ運転時間ＴP（分単位）に対する割合値であるＴP／ＴF（＝ＴP／６０）の値は、常に≦１であるので、Ｂが大きければＳＰ値はより小さくなり、大雪と判定され、ポンプ連続運転となる機会が多くなる。
【００３７】
図６乃至図１０を用いて上記式（１）を制御に入れた融雪装置の運転方法について説明する。図６はポンプの運転条件（その１）を、図７はポンプの運転条件（その２）を、図８はポンプの運転条件（その３）をそれぞれ示す。また、図９はインターバル５分（ｍｉｎ）の説明を、図１０は停止時のインターバルをそれぞれ示す。
【００３８】
図６のポンプの運転条件（その１）ではインターバル５分（ｍｉｎ）間の雪片のカウント数が３個以上であれば、ポンプは始動する。図９に示すようにインターバルは１分毎に、スライドし５分間単位として計算をしてゆく。あるインターバル間の５分間の雪片のカウント数が降雪判断の設定値を超えたならば、ボンプは始動する。始動したポンプは、始めは図６のステップ（３）に示すように１５分間の連続運転となり、この間に、次のステップ（４）の運転条件を決めるしきい値ＳＰを計算する。
【００３９】
図９においては、最初のインターバル５分の雪片数（雪片カウント数）＝１個、２回目インターバルの雪片数＝０個、３回目インターバルの雪片数＝１個、３回目インターバルの雪片数＝１個、４回目インターバルの雪片数＝１個、５回目インターバルの雪片数＝２個、６回目インターバルの雪片数＝３個である。この６回目インターバルでの降雪判断：ＰＬＳの設定値は３個であり、測定値は３個であるから、ＰＬＳ３個（設定値）≦３個（測定値）であり、ポンプ始動となる。
【００４０】
式（１）の大雪・小雪を判定する前の所定時間ＴF（ここではＴF＝６０分）の間のポンプ運転時間数ＴPは、ポンプ始動開始後１５分間は連続運転なので、式（１）のＴPにＴP＝１５分を代入する。そして式（１）の定数ＡにＡ＝５０、Ｂ＝０．５を代入して
ＳＰ＝Ａ×（ＴP／ＴF）B＝５０×（１５／６０）0．5＝２５ＰＬＳ
が判定基準値となるＳＰ値として得られる。ステップ（３）のインターバル１５分間での雪片のカウント数は２９ＰＬＳである。ここでステップ（３）のインターバル１５分間での雪片のカウント数が前記判定基準値となるＳＰ値より大きいか小さいかにより、大きければ大雪と判定されポンプの連続運転となり、小さければ小雪と判定されポンプの間欠運転となる。このステップ（３）では、判定基準値となるＳＰ値（＝２５ＰＬＳ）＜雪片のカウント数（＝２９ＰＬＳ）であるから、大雪と判定され、ポンプの連続運転となる。
【００４１】
図６のステップ（４）で大雪・小雪を判定する前の所定時間ＴF（ＴF＝６０分）間のポンプ運転時間数ＴPは、ポンプ始動開始後のステップ（３）の１５分間＋ステップ（４）の１５分間であり、ＴP＝３０分となり、ここでＡ＝５０、Ｂ＝０．５として式（１）から判定基準となるしきい値を求めると
ＳＰ＝Ａ×（ＴP／ＴF）B＝５０×（３０／６０）0．5＝３５ＰＬＳ
となる。ステップ（４）の雪片のカウント数が３０であるので、判定基準値となるＳＰ値（＝３５ＰＬＳ）＞雪片のカウント数（＝３０ＰＬＳ）であり、判定基準値となるＳＰ値の方が、ステップ（４）の雪片のカウント数より多いので、小雪と判定されポンプは間欠運転となる。
【００４２】
降雪面４０の融雪条件は、外気温度によっても影響を受ける。つまり、同じ散水量でも外気温度が低ければ積雪は融け難く、反対に高ければ融け易い。よって、ポンプ停止時間を外気温度によって、次の３段階に分けて調整することで、結果として運転時間が調整できる。
【００４３】
（１）外気温度が０℃未満では、係数０．５を乗じて停止時間とする（例えば、ポンプ停止時間７分の場合は７×０．５＝３分（小数点以下切捨て）が停止時間となる）。従って運転時間は、１５分−３分＝１２分である。
【００４４】
（２）外気温度が０℃〜１．５℃では、係数０．８を乗じて停止時間とする（例えば、ポンプ停止時間７分の場合は７×０．８＝５分（小数点以下切捨て）が停止時間となる）。従って運転時間は、１５分−５分＝１０分である。
【００４５】
（３）外気温度が１．６℃以上は、係数１．０を乗じて停止時間とする（例えば、停止時間７分の場合は７×１＝７分が停止時間となる）。従って運転時間は、１５分−７分＝８分である。
【００４６】
上記（１）、（２）、（３）に説明したように、例えば間欠運転となっても外気温度が低い場合には、ポンプの運転時間が長くなるように設定してある。ここでは、外気温度は２℃であるので、間欠運転のポンプ運転時間は８分、停止時間は７分である。
【００４７】
上記ポンプ運転をしている間に、次のステップの計算がある。
・図７のステップ（５）の計算
式（１）の大雪・小雪を判定する前の所定時間ＴF（ＴF＝６０分）間のポンプ運転時間ＴPは、（ポンプ始動開始後１５分間）＋（ステップ（４）も連続運転なので１５分）＋（ステップ（５）の間欠運転でのポンプ運転時間８分）から、ポンプ運転時間の合計ＴP＝３８分となる。判定基準となるしきい値は、
ＳＰ＝Ａ×（ＴP／ＴF）B＝５０×（３８／６０）0．5＝３９ＰＬＳ
であり、ステップ（５）における１５分間の雪片カウント数は４３個であるので、ＳＰ値＝３９個＜４３個であり、ＳＰ値よりもステップ（５）の１５分間における雪片のカウント数が多いので、大雪と判定され、ステップ（５）ではポンプは連続運転となる。
【００４８】
上記ステップ（３）では式（１）に代入するポンプ運転時間ＴPは、ＴP＝１５分でＳＰ値＝２５ＰＬＳ、次のステップ（４）では式（１）に代入するポンプ運転時間ＴPは、ＴP＝１５分＋１５分＝３０分で、
ＳＰ＝５０×（３０／６０）0．5＝３５ＰＬＳ
となる。
次のステップ（５）では式（１）に代入するポンプ運転時間ＴPは、ＴP＝１５分＋１５分＋８分＝３８分で、
ＳＰ＝５０×（３８／６０）0．5＝３９ＰＬＳ
となり、雪が降り始めた初期のＳＰ値は低く、乾いた降雪面４０を着雪し難くするためによく濡らすように計算され連続運転となりやすく、時間が経つにつれてＳＰ値が高くなり、間欠運転となり易くなるように工夫されている。
【００４９】
順次図７のステップ（６）、ステップ（７）、図８のステップ（８）と下記のようにポンプを運転をしていく。
・ステップ（６）では、ＳＰ＝５０×（５３／６０）0．5＝４６ＰＬＳ、ステップ（６）の１５分の雪片数＝２６ＰＬＳ、４６ＰＬＳ＞２６ＰＬＳ、判定＝小雪：間欠運転
・ステップ（７）では、ＳＰ＝５０×（４６／６０）0．5＝４３ＰＬＳ、ステップ（７）の１５分の雪片数＝３３ＰＬＳ、４３ＰＬＳ＞３３ＰＬＳ、判定＝小雪：間欠運転
・ステップ（８）では、ＳＰ＝５０×（３９／６０）0．5＝４０ＰＬＳ、ステップ（８）の１５分の雪片数＝２３ＰＬＳ、４０ＰＬＳ＞２３ＰＬＳ、判定＝小雪：間欠運転
【００５０】
次に図１０を用いてポンプが停止する様子を説明する。汎用型降雪センサ５の降雪判定インターバルは、１分間ずつスライドしインターバルは常に設定された値（ここでは５分間）で雪片の数を絶えずカウントし続けている。図１０ではステップ（８）の９分からの５分間の雪片数を計測したものを図示しているが、これ以前もこれ以後もずっと１分間スライドし、近接５分間の雪片をカウントし計測し続けている。近接５分間の雪片の数がある設定値（ここでは３個）以下になったならば、その後ある一定時間（ここでは４分間）残雪処理を行いポンプを停止する。なお、この残雪処理の時間はユーザにより変えることが可能とする。
【００５１】
ここでは、ステップ（９）の２分から５分間の雪片数のカウント数が２個であり、設定値ＰＬＳ＝３個よりも小さい。よってこの時点で、ポンプを４分間運転し残雪処理をした後、ポンプを停止する。また、再び雪が降り始めたならば、汎用型降雪センサ５によりカウントした近接５分間の雪片数が設定の数値を上回った場合、図６のステップ（１）、（２）に示す工程を経て再度ポンプは始動する。
【００５２】
以上、述べたように、降雪センサに図２に示すような高価で高級な高級降雪センサ１を使用しなくても、降る雪片のある程度のカウント数を積算する降雪積算時間（例えば１５分間）を設けて、さらに制御系の工夫によって降雪面に降り積もる雪を確実に融雪することができる。
【００５３】
以上、本発明の実施形態を説明したが、本発明は上記実施形態に限定されるものではなく、特許請求の範囲、及び明細書と図面に記載された技術的思想の範囲内において種々の変形が可能である。例えば大雪・小雪を判定する前の所定時間ＴFをＴF＝６０分、ポンプの１回の起動停止時間を１５分、インターバル時間を１５分等各種の設定時間を決めているが、これらの設定時間に限定されるものではない。また、直接明細書及び図面に記載がない何れの形状や構造であっても、本願発明の作用効果を奏する以上、本願発明の技術範囲である。
【産業上の利用可能性】
【００５４】
本発明に係る融雪装置の運転制御装置は、光学式降雪センサでカウントした雪片カウント数に基づいて、ポンプの運転制御を行う運転制御部を備えた融雪装置の運転制御装置において、運転制御部は、ポンプの連続運転か間欠運転かを判断するのにポンプの直前の運転時間の長短により、連続運転か間欠運転かの判断となるしきい値（ＳＰ値）を変えることができるので、降雪センサに高性能の高級降雪センサを用いることなく、安価な汎用型降雪センサを用いても降雪面に降る雪を確実に融雪できる、安価で経済的な融雪装置であるから、特に多数存在する民間の駐車場等の狭いエリアに降る雪を効果的に融雪する融雪装置として利用できる。
【符号の説明】
【００５５】
１  高級降雪センサ
２  光学センサ
３  雪片検知領域
５  汎用型降雪センサ
６  光学センサ
７  雪片検知領域
１０  漏電ブレーカ
１１  電磁開閉器
１４  過電流保護器
２１  降雪判断部
２２  モニター部
２３  警報部
２５  運転選択部
２６  ポンプ部
２７  制御選択部
２９  表示部
４０  降雪面
４１  散水配管
４２  散水ノズル
５０  深井戸
５１  深井戸水中ポンプ
５２  吐出管
５３  逆止弁
５４  開閉弁
５５  渇水レベルセンサ
５６  自動復帰レベルセンサ
１００  ポンプ制御盤
１０１  ポンプ運転制御回路部
１０２  コントロール部
２００  散水部
３００  水源部
【図１】
0005722717.tif 000002
【図２】
0005722717.tif 000003
【図３】
0005722717.tif 000004
【図４】
0005722717.tif 000005
【図５】
0005722717.tif 000006
【図６】
0005722717.tif 000007
【図７】
0005722717.tif 000008
【図８】
0005722717.tif 000009
【図９】
0005722717.tif 000010
【図１０】
0005722717.tif 000011